(57)【要約】【課題】  従来の根がかり回収装置は片手での操作が難しく、また他方の手には釣竿を持っているために両手での操作も面倒であった。また、回収装置の先端部分の構造が複雑であって、ルアーに係止させることが難しく、ルアーが足場から遠く離れた水底等の近傍にあり、足場からは目視することができないため、ルアーの回収率はきわめて低かった。【解決手段】  本発明の最も特徴とするところは、回収装置に磁石を取り付けて、該磁石を疑似餌の掛針に吸着させることにより、掛針と係止手段とを確実に絡ませて、根がかりした疑似餌の回収率を向上させることを目的としている。すなわち、釣糸に着脱自在に吊下げる吊下手段が設けられた本体部と、先端部分に擬似餌の掛針を係止する係止手段が設けられた回収部と、前記本体部と前記回収部とを連結する連結部より構成されており、前記連結部には擬似餌の掛針に吸着する磁石が設けられている。【選択図】          図１
2005237255.tif 000002
【特許請求の範囲】
【請求項１】
擬似餌の掛針に吸着する、磁石が設けられていることを特徴とする根がかり回収装置。
【請求項２】
釣糸に着脱自在に吊下げる吊下手段が設けられた本体部と、先端部分に擬似餌の掛針を掛止する係止手段が設けられた回収部と、前記本体部と前記回収部とを連結する連結部より構成されており、前記連結部には擬似餌の掛針に吸着する磁石が設けられていることを特徴とする請求項１記載の根がかり回収装置。
【請求項３】
前記回収部の係止手段は、略Ｕ字形の線条で形成されていることを特徴とする請求項２記載の根がかり回収装置。
【発明の詳細な説明】
【技術分野】
【０００１】
本発明は、ルアーフィッシング等において、根がかりした擬似餌（ルアー）を容易に回収することができる根がかり回収装置に関するものである。
【背景技術】
【０００２】
魚釣りにおいては、魚の形をした擬似餌（ルアー）を水中に泳がせて釣りを楽しむ方法（ルアーフィッシング）が盛んに行われている。ところが、ルアーフィッシングではルアーに付いている掛針（釣針）が根がかりすると、釣糸を強く引っ張っても外せないことが多い。このようなときには釣糸を切ってルアーを放棄せざるを得ないが、ルアー自体が高価であるばかりでなく、放棄した釣糸に水鳥が絡まってしまうこともあり、自然環境に悪影響を及ぼしていた。
【０００３】
そこで、近年ではルアーの根がかりを回収する様々な方法が考えられている。例えば、筒状の本体と、その先端に回転可能に取り付けられた回転体とからなり、回転体の先端には釣糸と擬似餌との連結部に係合する係止部が設けられると共に、回転体の先端から本体の後端まで一直線状のスリットが形成されていることを特徴とした、根がかり回収装置が開示されている（例えば、特許文献１参照。）。
【０００４】
【特許文献１】特開平９−１７２９３３号公報
【発明の開示】
【発明が解決しようとする課題】
【０００５】
しかしながら、特許文献１に示す根がかり回収装置でルアーの根がかりを回収する場合には、最初に、回収装置の背部に一直線状に設けられたスリットに釣糸を挿入した後、本体の先端部に接続された回転部を１８０度回転させて釣糸に回転装置を係止させなければならないため、片手での操作が難しく、また他方の手には釣竿を持っているために両手での操作も面倒である。
【０００６】
また、回収装置の先端部分に設けられた係止部は、すり鉢状に形成された逆円錐部と、その底部に開設された連結部の通り孔と、逆円錐部の上部から底部に向かって角拡するＶ字状の係止溝とからなっている。このため、ルアーを釣糸に接続するときには、必ず強固なより戻し（スイベルとも呼ばれている）を介在させなければならない。そして、前記より戻し部分を、すり鉢状の逆円錐部に飲み込むようにして、より戻しの一部がＶ字状の係止溝に食い込んで離れなくするというものである。
【０００７】
しかしながら、より戻しに回収装置の係止部を飲み込ませるための手段は、釣糸に係止された回収装置の重力のみに依存しており、より戻しの一部をＶ字状の係止溝に食い込ませるのは、回収装置の後端部に接続された紐の一端を手元で操作（引いたり弛ませたりする等）するが、一般的には、ルアーが足場から遠く離れた水底（海底）近傍にあり、足場からは目視することができないため、ルアーの回収率はきわめて低いものであった。
【課題を解決するための手段】
【０００８】
本発明は、上記課題を解決するためになされたものであり、その最も特徴とするところは、回収装置に磁石を取り付けて、該磁石を疑似餌の掛針に吸着させることにより、掛針と係止手段とを確実に絡ませて、根がかりした疑似餌の回収率を向上させることを目的としている。この目的を達成するために、請求項１では、擬似餌の掛針に吸着する磁石が、回収装置の適宜な箇所に設けられていることを特徴とした根がかり回収装置としている。また、請求項２では、釣糸に着脱自在に吊下げる吊下手段が設けられた本体部と、先端部分に擬似餌の掛針を係止する係止手段が設けられた回収部と、前記本体部と前記回収部とを連結する連結部より構成されており、前記連結部には擬似餌の掛針に吸着する磁石が設けられていることを特徴とした根がかり回収装置としている。また、請求項３では、前記回収部の係止手段は、略Ｕ字形の線条で形成されていることを特徴とした根がかり回収装置としている。
【発明の効果】
【０００９】
本発明の請求項１では、擬似餌の掛針に吸着する磁石が、回収装置の適宜な箇所に設けられた構造としている。これにより、回収装置に設けられた磁石が、根がかりした擬似餌の掛針に確実に吸着するので、擬似餌の回収率が著しく向上する。
【００１０】
また、請求項２では、釣糸に着脱自在に吊下げる吊下手段が設けられた本体部と、先端部分に擬似餌の掛針を掛止する係止手段が設けられた回収部と、前記本体部と前記回収部とを連結する連結部より構成されており、前記連結部には擬似餌の掛針に吸着する磁石が設けられている。これにより、釣糸に回収装置を吊下げるときは、片手で回収装置の本体部を把持したまま、本体部に設けられたハンガーを釣糸に引掛けるだけで、簡単かつ容易に吊り下げすることが可能となる。また、回収部の先端には掛針を係止する係止手段が設けられており、連結部には磁石が設けられているので、擬似餌に取り付けられた掛針を磁石で吸着した状態で、係止手段を手元に引くことにより、掛針を係止手段に、より確実に絡ませることができるので、擬似餌の回収率が著しく向上する。
【００１１】
また、請求項３では、前記回収部の係止手段は、略Ｕ字形の線条で形成されているため、掛針に容易に係止させることが出来るので、擬似餌の回収率が著しく向上する
【発明を実施するための最良の形態】
【００１２】
以下、本発明の実施形態について図面に基づいて説明するが、本発明はこれに限定されるものではなく、要旨を逸脱しない範囲において適宜変更が可能なものである。図１は本発明の最良の実施形態を示す側面断面図、図２は図１の回収部のＡーＡ矢視図である。図１及び図２において、根がかり回収装置１は、本体部２と、回収部３と、前記本体部２と前記回収部３を連結する連結部４から構成されている。
【００１３】
本体部２の胴体２１は、鉛、真鍮又はアルミニウムなどの非鉄金属材料或いはステンレス鋼等によって形成されている。なお、装飾性や耐食性をもたせるために、鉛などはメッキ処理を行なうことが好ましい。前記胴体２１は中央部分が最も大径の円筒形であり、長手方向の両端部から中央部分にかけて順次大径となるように形成されており、その中心軸線には貫通孔２２が形成されている。しかし、長手方向の断面が均一の円筒形とすることも当然可能である。前記胴体２１の両端部には、胴体２１の貫通孔２２に挿入された連結部４から直角方向に延設された２本の線条のハンガー２３が設けられており、該ハンガー２３の先端は、釣糸を着脱自在に挿入できる開口を設けた螺旋２４に形成されている。そして、２本のハンガー２３が釣糸１２に吊下げられたときは、胴体２１は釣糸１２にぶら下がった状態で必ず釣糸１２の下側に位置し、根がかり回収装置１全体が釣糸１２に安定的に吊下げられるよう、錘の働きをしている。
【００１４】
回収部３は、擬似餌１０に取り付けられた掛針１１を係止する機能を有しており、先端部分にはステンレス鋼線等を用いて先端がＵ字状（釣針状又はＶ字状でもよい）３２で軸部３３が直線状に形成された２本の係止手段２１が、図２に示すように軸線と直角方向の面に対して約４５〜１２０度、望ましくは約１２０度に開いた状態で、前記直線状の軸部３３が一体的に固着されている。なお、係止手段２１は１本又は３本以上とすることも可能であるが２本が最も望ましい。１本の場合は掛針に確実に係止できる確立が低下し、逆に３本以上になると掛針に絡まり難くなり、掛針に確実に係止できる確立が低下する。なお、前記係止手段２１の一体的に固着された軸部３３は、中心軸に貫通孔を設けた筒体３４の一端に挿入されて固定されている。そして、この筒体３４の外周面にはスリーブ３５が外嵌されている。ただし、このスリーブ３５を用いない場合でも機能的な相違はない。
【００１５】
連結部４は、前記本体部２と前記回収部３を接続するものであり、一端が閉状のリング４１に形成された線状４２に形成されている。該連結部４の線状４２側を本体部２の胴体２１の端部から挿入して、胴体２１の貫通孔２２を貫通して回収部３の筒体３４の貫通孔に挿入されている。また、本体部２と回収部３の間は適宜な間隔を設けて連結部４の中間部４３が露出しており、この中間部４３に円筒状の磁石４４が移動自在に挿入されている。なお、図１では、胴体２１の両端及び回収部３の一端に貫通孔を設けた球状のストッパー２５が取り付けられているが、これを省略した場合でも機能的な相違はない。
【００１６】
次に、本発明の実施形態による根がかり回収装置１の使用方法を説明する。図３は疑似餌１０が根がかりした状態を示す説明図である。図３において、１は根がかり回収装置、１０は擬似餌、１２は釣糸であり、疑似餌１０の掛針１１が水底の石などの障害物１１に引っ掛かって根がかりしている。ここで、根がかり回収装置１のリング４１には、予めより戻し（スイベル）を仲介して釣糸１２よりも強固なワイヤ１３（回収糸）が結び付けられている。次に、根がかり回収装置１の本体部２の胴体２１を片手で把持し、釣糸１２の先端側（擬似餌１０側）に回収部３を向けて、本体部２に取り付けられたハンガー２３の先端の螺旋２４を釣糸１２に係止して手を離す。すると、胴体２１は金属製のため重くなっているので、根がかり回収装置１は胴体２１が釣糸１２の下部に位置したままハンガー２３によって釣糸１２に移動自在にぶら下がった状態になる。この状態で釣竿（図示しない）の先端部を高くすると、釣竿の先端に取り付けられた釣糸１２が高い位置に移動するので、根がかり回収装置１は擬似餌１０側に向かって釣糸１２上をスムーズに滑走する。この場合に、根がかり回収装置１の重心は胴体２１にあるため、根がかり回収装置１全体がハンガー２３によって釣糸１２にぶら下がった状態で安定して滑走する。
【００１７】
釣糸１２上を滑走した根がかり回収装置１は、疑似餌１０に到着すると、図４に示したように、擬似餌１０の腹部に取り付けられた掛針１１に、根がかり回収装置１の連結部４に移動自在に挿入された磁石４４が吸着される。この磁石４４は非常に強力（例えば、希土類磁石、残留磁束密度１２３０〜１３５０ｍＴ）であるので、掛鉢１１と磁石４４とは強固に磁着する。この状態で根がかり回収装置１のリング４１に結び付けられたワイヤ１３を手元側に引くと、図５に示すようにＵ字状３２になった係止手段２１が掛針１１に絡まり離れなくなる。そのままワイヤ１３を強く引くと、根がかり回収装置１の係止手段２１に掛針１１が引っ張られて擬似餌１０が障害物１４から外れる。
【００１８】
上述したように、ワイヤ１３で擬似餌１０の掛針１１を引っ張ることで、疑似餌１０の掛針１１の針先が変形して根がかりを外すことができると同時に疑似餌１０を回収することができる。また、根がかりした障害物１４がそれ程重くなければ、針先が変形することなく障害物１４を一緒に引き上げることができる。このように、本発明による根がかり回収装置１は、釣糸１２を直接引っ張るものではないため、釣糸１２が途中で切れてしまうといったことがない他、Ｕ字状３２の係止手段２１は掛針１１より強固に作られているので、針先が変形する前に係止手段２１が壊れてしまうといった心配はない。根がかりした疑似餌１０を回収した後は、釣糸１２に係止したハンガー２３を取り外して係止手段２１と掛針１１の絡みを解くと簡単に疑似餌１０を回収することができる。
【産業上の利用可能性】
【００１９】
本発明は、ルアーフィッシング等において、根がかりした擬似餌を容易に回収することができる根がかり回収装置に関するものであり、特に疑似餌に取り付けられた掛針に磁石を吸着させることに特徴を有しているので、様々な疑似餌の根がかりを回収することができる。
【図面の簡単な説明】
【００２０】
【図１】本発明の実施形態を示す側面断面図である。
【図２】図１の回収部のＡ−Ａ矢視図である。
【図３】疑似餌が根がかりした状態を示す説明図である。
【図４】本発明の根がかり回収装置を用いて疑似餌の掛針を吸着した状態を示す説明図である。
【図５】本発明の根がかり回収装置を用いて疑似餌の掛針を係止した状態を示す説明図である。
【符号の説明】
【００２１】
１  根がかり回収装置
２  本体部
３  回収部
４  連結部
１０  擬似餌
１１  掛針
１２  釣糸
１３  ワイヤ
１４  障害物
２１  胴体
２３  ハンガー
２４  螺旋
３１  係止手段
３２  Ｕ字状
４１  リング
４３  中間部
４４  磁石
【図１】
2005237255.tif 000003
【図２】
2005237255.tif 000004
【図３】
2005237255.tif 000005
【図４】
2005237255.tif 000006
【図５】
2005237255.tif 000007